(57)【要約】【課題】簡単な構造、管理で拭き取り機能を有効に維持することができるようにした新規有用なボード用イレーサを提供する。【解決手段】バックアップ部材である下ケース１とホールド部材である中ケース２との間に張地４を張設するに際して、張地４を下ケース１に周回させて取り付け、張地４の拭き取り部分４ｘにテンションを加えながらその余長部分４ｙを下ケース１と中ケース２との間に挟み込むようにしたものである。そして、挟み込む位置を繰り出し方向に変更することによって、張地４の余長部分４ｙであった部位を拭き取り部分４ｘとして使用することができるようにしたことを特徴とする。【選択図】図２
2004268306.tif 000002
【特許請求の範囲】
【請求項１】
バックアップ部材とホールド部材との間に張地を張設してなるものであって、
張地を、少なくともバックアップ部材のバックアップ面に巻き掛けて、当該バックアップ面にバックアップされる拭き取り部分にテンションを加えながらその余長部分をバックアップ部材とホールド部材との間に挟み込むようにしたものであり、挟み込む位置を繰り出し方向に変更することによって、張地の余長部分であった部位を拭き取り部分として使用することができるように構成していることを特徴とするボード用イレーサ。
【請求項２】
ホールド部材の一部をバックアップ部材の一部に差し込むように構成し、差し込みの際に張地の余長部分を引きずることによってその拭き取り部分にテンションを加えるようにしている請求項１記載のボード用イレーサ。
【請求項３】
張地が、バックアップ部材の外周囲を周回する位置に着脱可能に取り付けられる無端形状のものである請求項１又は２記載のボード用イレーサ。
【請求項４】
張地が、バックアップ部材の反バックアップ面側に余長部分を着脱可能に巻き回し弛ませて配置される有端形状のものである請求項１又は２記載のボード用イレーサ。
【請求項５】
バックアップ部材に把手として機能する上蓋を着脱可能に係わり合わせて取り付けるようにしたものであり、この上蓋が前記ホールド部材として機能している請求項１〜４記載のボード用イレーサ。
【請求項６】
バックアップ部材に中蓋を着脱可能に装着するとともに、この中蓋を前記バックアップ部材との間に内有するようにして当該バックアップ部材に把手として機能する上蓋を着脱可能に係わり合わせて取り付けるようにしたものであり、前記中蓋が前記ホールド部材として機能している請求項１〜４記載のボード用イレーサ。
【請求項７】
上蓋とバックアップ部材との間の空間に、当該イレーサの備品又は当該イレーサと共に使用される筆記用具若しくはその備品を収納する収納部を設けている請求項５記載のボード用イレーサ。
【請求項８】
上蓋と中蓋との間の空間もしくは中蓋とバックアップ部材との間の空間に、当該イレーサの備品又は当該イレーサと共に使用される筆記用具若しくはその備品を収納する収納部を設けている請求項６記載のボード用イレーサ。
【請求項９】
収納部が、当該イレーサの備品たる交換用の張地を収納するためのものである請求項７又は８記載のボード用イレーサ。
【請求項１０】
収納部が、当該イレーサと共に使用される筆記用具たるマーカー若しくはその備品たるインク及び／又はペン先を収納するためのものである請求項７又は８記載のボード用イレーサ。
【発明の詳細な説明】
【０００１】
【発明の属する技術分野】
本発明は、ホワイトボード等に好適に適用可能なボード用イレーサに関するものである。
【０００２】
【従来の技術】
オフィスや学校等で使用する黒板やホワイトボードには、従来よりチョークやマーカによる記述跡を消去するためのボード用イレーサが併用されている。
【０００３】
この種のイレーサは、黒板用・ホワイトボード用いずれのものも、例えば特許文献１に示されるように、スポンジ等のバックアップ部材の周囲に拭き取り用の張地を容易に剥がれず且つ弛みが生じないようにしっかり縫製して外装し、これに把手を固定して構成されているのが通例である。
【０００４】
【特許文献１】登録実用新案第２５９３０１６号公報
【０００５】
【発明が解決しようとする課題】
しかし、このようなものは、常に張地の拭き取り領域が決まっているので、汚れ易く、拭き取り機能が低下し易い。このような場合、チョークであればはたくことにより付着した粉を飛ばしてある程度再生することが可能であるが、マーカーはインクを吸い取るものであるため再生には洗い落とすほかはない。チョークであっても粉の付着が定常的となった場合には事情は同じである。
【０００６】
しかしながら、従来のイレーサは張地がスポンジ等のバックアップ部材と一体をなしているため、張地を水洗いするためにはスポンジもとろも水に晒さなければならない。このため、乾きにくいがゆえに再使用できるまでに時間を要し、日常的に使用している間は再生が難しいため拭き取り機能が低下したままの状態で使用せざるを得ないという実情がある。
【０００７】
本発明は、このような課題に着目してなされたものであって、簡単な構造、管理で拭き取り機能を有効に維持することができるようにした新規有用なボード用イレーサを提供することを目的としている。
【０００８】
【課題を解決するための手段】
本発明は、かかる目的を達成するために、次のような構成を採用したものである。
【０００９】
すなわち、本発明のボード用イレーサは、バックアップ部材とホールド部材との間に張地を張設するものであり、張地を、少なくともバックアップ部材のバックアップ面に巻き掛けて、当該バックアップ面にバックアップされる拭き取り部分にテンションを加えながらその余長部分をバックアップ部材とホールド部材との間に挟み込むようにしたものである。そして、挟み込む位置を繰り出し方向に変更することによって、張地の余長部分であった部位を拭き取り部分として使用することができるように構成したことを特徴とする。
【００１０】
このようなものであれば、張地の拭き取り部分の拭き取り機能が再生を要する程度にまで低下しても、繰り出し可能な余長部分が存在する限りにおいて即座に水洗い等する必要がなく、その余長部分を新たな拭き取り部分として引き続き使用することができる。また、水洗いの間にも、替えの張地を用意しておけばイレーサの使用を続行することができる。従って、本発明によれば、継続使用できる期間を従来に比べて有効に引き延ばすことができ、水洗いの頻度も確実に低減することが可能となる。
【００１１】
拭き取り部分を張設するための有効な構成としては、ホールド部材の一部をバックアップ部材の一部に差し込むように構成し、差し込みの際に張地の余長部分を引きずることによってその拭き取り部分にテンションを加えるようにしているものが挙げられる。
【００１２】
張地の具体的な実施の態様としては、バックアップ部材の外周囲を周回する位置に着脱可能に取り付けられる無端形状をなすもの、或いは、バックアップ部材の反バックアップ面側に余長部分を着脱可能に巻き回し弛ませて配置される有端形状をなすもの等が挙げられる。
【００１３】
ホールド部材としては、バックアップ部材に取り付けられる上蓋や、バックアップ部材に装着される中蓋を利用することができる。前者の場合は、バックアップ部材に把手として機能する上蓋を着脱可能に係わり合わせて取り付けるようにし、この上蓋を前記ホールド部材として機能させればよい。また、後者の場合は、バックアップ部材に中蓋を着脱可能に装着するとともに、この中蓋を前記バックアップ部材との間に内有するようにして当該バックアップ部材に把手として機能する上蓋を着脱可能に係わり合わせて取り付けるようにし、前記中蓋を前記ホールド部材として機能させればよい。
【００１４】
前者の構造において、このボード用イレーサの付加価値を有効に高めるためには、上蓋とバックアップ部材との間の空間に、当該イレーサの備品又は当該イレーサと共に使用される筆記用具若しくはその備品を収納する収納部を設けておくことが好ましい。
【００１５】
また、後者の構造において、このボード用イレーサの付加価値を有効に高めるためには、上蓋と中蓋との間の空間もしくは中蓋とバックアップ部材との間の空間に、当該イレーサの備品又は当該イレーサと共に使用される筆記用具若しくはその備品を収納する収納部を設けておくことが好ましい。
【００１６】
特に、これらの収納部には、イレーサの備品たる交換用の張地を収納できる構造や、イレーサと共に使用される筆記用具たるマーカー若しくはその備品たるインク及び／又はペン先を収納できる構造を採用しておくことが有効となる。
【００１７】
【発明の実施の形態】
以下、本発明の一実施形態を、図面を参照して説明する。
【００１８】
この実施形態のボード用イレーサは、ホワイトボードの拭き取り具として使用されるもので、図１及び図２に示すように、バックアップ部材として機能する下ケース１、ホールド部材として機能する中蓋たる中ケース２、上蓋たる上ケース３、張地４を具備し、組み付け状態で下ケース１と中ケース２の間に張地４を張設する構造のものである。そして、その際に張地４を、少なくとも下ケース１のバックアップ面１ａに巻き掛けて、当該バックアップ面１ａにバックアップされる拭き取り部分４ｘにテンションを加えながらその余長部分４ｙを下ケース１と中ケース２の間に挟み込むとともに、挟み込む位置を変更することによって、張地４の余長部分４ｙであった部位を拭き取り部分４ｘとして新たに繰り出すことができるように構成している。
【００１９】
具体的に説明すると、下ケース１は、図１、図２、図３（ｃ）、図４（ｃ）、図５（ｃ）に示すように、幅方向に位置する一対の側縁１１ａ及び長手方向に位置する一対の端縁１１ｂを有し側縁１１ａの中央部に括れ部１１ａｘを形成するとともにその括れ部１１ａｘから長手方向へ変位した２箇所（正確には長手方向中央から端縁までの領域の中央部）に外側に向かって膨出する膨出部１１ａｙを形成した底壁１１と、この底壁１１の前記一対の側縁１１ａより起立し前記底壁１１の括れ部１１ａｘ及び膨出部１１ａｙの対応位置にそれぞれ括れ部１２ｘ及び膨出部１２ｙを形成した側壁１２と、前記一対の端縁１１ｂより起立し外面の上縁付近に薄肉部１３ａを設けてその一部に係合孔１３ｂを形成した端壁１３とを具備し、上方に開口した箱状をなす。この下ケース１の底壁１１には、幅方向中央を通る中心線上にあって長手方向の中央から変位した２箇所に有底円形状の穴１１ｃが設けてあり、この穴１１ｃにマグネット１１ｄを装着している。このマグネット１１ｄを装着する底壁１１の穴１１ｃには、下ケース１の内側空間に開口する小径孔１１ｃ１が開口させてある。これは分別廃棄時に図４中矢印ｆ１で示す方向に先端の尖ったもので突いてマグネット１１ｄを取り外すためのものである。
【００２０】
中ケース２は、図１、図２、図３（ｂ）、図４（ｂ）、図５（ｂ）に示すように、前記下ケース１の底壁１１よりも若干小さい概略相似形状をなしその側縁２１ａにおける前記下ケース１の括れ部１１ａｘ及び膨出部１１ａｙの対応位置にそれぞれ括れ部２１ａｘ及び膨出部２１ａｙを有した底壁２１と、この底壁２１の一対の側縁２１ａより起立して前記下ケース１の側壁１２の内面に対向する位置に配置可能であって当該下ケース１の側壁１２の括れ部１２ｘ及び膨出部１２ｙの対応位置にそれぞれ括れ部２２ｘ及び膨出部２２ｙを有した側壁２２と、前記底壁２１の一対の端縁２１ｂより起立して前記下ケース１の端壁１３の内面に配置可能な端壁２３とを具備し、上方に開口した箱状をなす。前記側壁２２の上縁には、外側に向かって鍔部２４が突出して設けてある。この鍔部２４も外縁に上記と対応する括れ部２４ｘ及び膨出部２４ｙを有している。そして、この中ケース２の開口内において、長手方向の片半部に第１の収納部５及び第２の収納部６が、また他半部に第３の収納部７がそれぞれ形成してある。第１の収納部５は、図３（ｂ）、図４（ｂ）、図５（ｂ）、図６に示すように、長手方向中央付近において底壁２１より起立させた起立片２５と長手方向端縁付近において底壁２１より起立させた起立片２６との間に円筒状のインクケース５１を着脱可能に装着可能としたものである。インクケース５１の端面には中心回りに円環溝５１ａが形成してあり、起立片２５、２６には対向面側に突起２５ａ、２６ａが形成してあり、中ケース２の底壁２１に設けたリブ２７上にこのインクケース５１を載置した高さ位置で、円環溝５１ａの最も低い部分に突起２５ａ、２６ａが係り合うようになっている。また、第２の収納部６は、前記第１の収納部５を形成する起立片２６よりも更に当該中ケース２の最寄の端壁２３側において底壁２１よりも嵩高い位置に設けた上向き面２８に形成した縦孔２８ａであり、この縦孔２８ａにマーカーのペン先６１を着脱可能に装着するようにしている。さらに、第３の収納部７は、前記起立片２５と、前記第２の収納部６側の端壁２３とは反対側の端壁２３と、一対の側壁２２とにより包囲させて形成した空間に設定したもので、この部位に張地４の替え７１を収納しておくようにしている。
【００２１】
上ケース３は、図１、図２、図３（ａ）、図４（ａ）、図５（ａ）に示すように、前記下ケース１の底壁１１よりも若干大きい概略相似形状をなしその側縁３１ａにおける前記下ケース１の括れ部１１ａｘ及び膨出部１１ａｙの対応位置にそれぞれ括れ部３１ａｘ及び膨出部３１ａｙを有した頂壁３１と、この頂壁３の一対の側縁３１より垂下して前記下ケース１の側壁１２の外面に対向する位置に配置可能であり当該下ケース１の側壁１２の括れ部１２ｘ及び膨出部１２ｙの対応位置にそれぞれ括れ部３２ｘ及び膨出部３２ｙを有した側壁３２と、前記頂壁３１の一対の端縁３１ｂより垂下して前記下ケース１の端壁１３の外面に配置可能であり所定組み付け状態で前記下ケース１の端壁１３に設けた係合孔１３ｂの対応位置に係合爪３３ｂを有した端壁３３とを具備し、下方に開口した箱状をなす。この上ケース３の頂壁３１は、長手方向中央付近の一定領域３ｍが下ケース１の底壁１１に平行をなすとともに、この領域３ｍから端縁３１ｂに向かう両側の領域３ｎの一部が暫時下ケース１の底壁１１に近づく方向に傾斜している。この上ケース３の頂壁３１の下面には、組み付けた状態で中ケース２を下ケース１に向かって押し付けるためのリブ３１ｓが下向きに突出して設けてあり、また頂壁３１の端縁３１ｂ付近から端壁３３にわたる部位には、垂下するにつれて端壁３３の内面から遠ざかる方向に傾斜するテーパ面３１ｔ１を有するリブ３１ｔ（図４（ａ）参照）が下向きに突出して設けてある。このリブ３１ｔと端壁３３との間に形成される楔状の隙間は、所定組み付け状態で下ケース１の端壁１３の薄肉部１３ａから上の部分（特に係合爪１３ｂ部分）を受け入れる寸法関係にある。また、この上ケース３の一対の側壁３２のうち、前記括れ部３２ｘのあたりには、下向き山形状に垂下する垂下部３２ｚが形成してある。
【００２２】
そして、下ケース１の開口内に上方から中ケース２を落とし込んで装着し、この中ケース２を内有した状態で上ケース３を下ケース１の外側に一部被せることによって、組み付けを完了するようにしている。具体的には、図４（ｄ）、図５（ｄ）に示す所定組み付け状態で、下ケース１の底壁１１に中ケース２の底壁２１が当接ないし近接するとともに下ケース１の側壁１２の上縁に中ケース２の側壁２２の上縁に設けた鍔部２４が当接し、上ケース３の頂壁３１の下面に設けたリブ３１ｓが中ケース２の鍔部２４の上面に当接するとともに下ケース１の端壁１３の上縁近傍に設けた係合孔１３ｂに上ケース３の端壁３３の対応位置に設けた係合爪３３ｂが係り合うようにしている。なお、この状態において、前記上ケース３には、下ケース１の端壁１３の薄肉部１３ａを表出させるための切欠３３ａがその端壁３３に設けてある。
【００２３】
張地４は、布部材を筒状をなすように周回させてその縁部同士を縫い合わせたもので、中ケース２の外周囲（底壁２１、側壁２２及び鍔部２４）を周回する位置に長手方向から着脱可能に外装して取り付けることができるようにしている。取り付け状態で、張地４は中ケース２の開口内においてその余長部分４ｙが十分に弛んだ状態となる寸法に少なくとも設定している。そして、上述した下ケース１、中ケース２及び上ケース３の組み付けを、この張地４を中ケース２に取り付けた状態で行なうことによって、中ケース２を下ケース１の開口に落とし込む際に張地４の余長部分４ｙを中ケース２の底壁２１や側壁２２等により押し込んで下ケース１の底壁１１の下面側に位置する張地４の拭き取り部分４ｘの両側が上方に引っ張られる方向に当該張地４を引きずり、これにより張地４のうち下ケース１の底壁１１のバックアップ面１ａに位置して拭き取り部分４ｘとなる部位にテンションを加えつつ、最終的に張地４の余長部分４ｙを中ケース２の鍔部２４と下ケース１の側壁１２の上縁との間、或いは中ケース２の底壁２１の下面と下ケース１の底壁１１の上面との間に挟み込むようにしている。前記張地４は、この状態でほぼ全周に亘って同一テンションが加わった状態になると考えられるが、張地４の周回寸法は実際にはこのときのテンションが適切となる値に設定される。
【００２４】
そして、その挟み込む位置を変更することによって、張地４の余長部分４ｙであった中ケース２の開口内に位置する部位等を、新たに拭き取り部分４ｘとして下ケース１の底壁１１のバックアップ面１ａ側に繰り出すことができるようにしている。
【００２５】
すなわち、抜き取り部分４ｘが汚れた際には、上ケース３を下ケース１から外し、中ケース２を取り出して、張地４を図５（ｃ）に矢印Ｉで示すごとく周方向に移動させ、汚れた部位を中ケース２の開口内に移動させ未使用の部位を新たに拭き取り部分４ｘとして下ケース１の底壁１１のバックアップ面１ａ側に繰り出して、再び中ケース２を下ケース１に装着し、上ケース３を下ケース１に取り付けることによって、継続使用が可能となるものである。
【００２６】
このように、本実施形態のイレーサは、張地４の拭き取り部分４ｘの拭き取り機能が再生を要する程度にまで低下しても、繰り出し可能な余長部分４ｙが未使用な状態で存在する限りにおいて即座に水洗い等する必要がなく、その余長部分４ｙを新たな拭き取り部分４ｘとして引き続き使用することができる。また、水洗いの間にも、替えの張地７１を用意しておけばイレーサの使用を続行することができる。従って、本実施形態によれば、継続使用できる期間を従来に比べて有効に引き延ばすことができ、水洗いの頻度も確実に低減して、この種のイレーサとしての使い勝手を従来に比べて格段に向上させることが可能となる。
【００２７】
また、中ケース２の一部を下ケース１の開口内に差し込むように構成し、差し込みの際に張地４の余長部分４ｙを引きずることによってその拭き取り部分４ｘにテンションを加える構造であるため、簡単な操作で張地４に確実にテンションを加えることができる。
【００２８】
特に、張地４が、中ケース２の外周囲を周回する位置に着脱可能に取り付けるようにした無端形状のものであるため、所定の周回寸法に設定しさえすれば操作を無造作に行なっても常に拭き取り部分４ｘに一定のテンションを得ることができ、組み付け状態の確実性を期することができる。
【００２９】
さらに、このボード用イレーサは、下ケース１に収納部５，６，７を提供する中ケース２を着脱可能に装着するとともに、この中ケース２を前記下ケース１との間に内有するようにして当該下ケース１に把手として機能する上ケース３を着脱可能に係わり合わせて取り付けるようにしたものであり、前記中ケース２を本発明のホールド部材として有効に機能させているため、無駄な構造を取り込むことなく張地４の張設を有効に実現することが可能となる。
【００３０】
また、上ケース３と中ケース２との間の空間に収納部５、６、７を設け、収納部５に当該イレーサと共に使用される筆記具たるマーカーの備品であるインクケース５１を収納し、収納部６に同じくマーカーの備品であるペン先６１を収納し、収納部７に当該イレーサの備品である替えの張地４を収納するようにしているため、ホワイトボードのトレー等にこれら予備の備品を乱雑に置いておく必要がなく、見栄えの向上や紛失の防止に有効に寄与し得るものとなる。勿論、このような収納部は中ケース２と下ケース１との間に空間を設けて当該空間に構成するようにしても構わない。
【００３１】
以上に加えて、この実施形態のイレーサは、各種に張地４の着脱のし易い構造、使用し易い構造になっている。
【００３２】
先ず、図４（ｄ）等に示したように、下ケース１の端壁１３に薄肉部１３ａ及び係合孔１３ｂを設け、上ケース３を被せた際にその端壁３３に設けた係合爪３３ｂを前記係合孔１３ｂに係り合わせるようにしているとともに、下ケース１の端壁１３の上縁側が上ケース３のリブ３１ｔに設けたテーパ面３１ｔ１が形成する楔状の隙間に入り込んだ状態で組み付けられるようにしている。このため、同図中ｆ２で示すように下ケース１の端壁１３の薄肉部１３ａを押圧（必ずしも両端壁１３を同時に押圧する必要はない）すると、端壁１３が内側に撓み、このとき端壁１３の上縁側がテーパ面３１ｔに押し付けられる結果、リブ３１ｔが上方に逃げて上ケース３が係合爪３３ｂと係合孔１３ｂとの係合を解除して取り外し易いものとなっている。
【００３３】
また、上ケース１は樹脂製のものであるため、図３（ａ）中に矢印ｆ４に示すように側壁３２の膨出部３２ｙを両側から摘むと、図４（ｄ）に矢印ｆ５で示すように端壁３３が撓み、下ケース１の端壁１３が逃げようとするので、これによっても上ケース３の係合爪３３ｂと下ケース１の係合孔１３ｂとの係わり合い状態を解除し易いものである。
【００３４】
さらに、このイレーサは、上ケース３の側壁３２の括れ部３２ｘをグリップするように把持して使用するものであり、安定確実な握り状態を確保することができるだけでなく、その括れ部３２ｘにはより下方に延びる垂下部３２ｚが設けてあるため、握りしろを多く確保できて安定すると同時に、張地４に指が触れて汚れるといった不都合も有効に回避することができるものである。また、この括れ部３２ｘをグリップすれば、例えばボードのエンドまで手を動かしたときにエンド部材との間に指を挟みこむことを防止する逃げになる点でも有効となる。
【００３５】
また、上ケース３の頂壁３１には、下ケース１の底壁１１に平行な中央部分の領域３ｍに連続させて、暫時底壁１１側に近づくように傾斜した領域３ｎが設けてあるため、グリップ状態で手の腹を自然な状態でこの上ケース１の領域３ｎに添えて使用することができ、使用状態の一層の安定化を期することができる。
【００３６】
なお、各部の具体的な構成は、上述した実施形態のみに限定されるものではない。
【００３７】
例えば、上記実施形態イレーサにおいては中ケース２に収納部５，６，７を設けたが、比較的コンパクトな構造のイレーサにおいては図７に示すように中ケース２に収納部５，６のみを設けておく態様も可能である。同図においてそれ以外の構造は殆ど上記実施形態と同様のものであり、共通する部分には同一符号を付し、その説明を省略している。下ケース１、上ケース３、張地４も全て上記実施形態に準じて構成すればよい。
【００３８】
また、上記実施形態では張地４に無端形状のものを採用したが、図８に示すように、張地１０４に、下ケース等のバックアップ部材１０１の反バックアップ面側に余長部分１０４ｙを着脱可能に巻き回して弛ませた有端形状のものを採用しても構わない。このようにすると、テンションを加えるときの操作を上記実施形態ほど無造作に行なうことはできなものの、筒状に縫製する必要がないので、替えの張地も適宜容易に使用することができるようになる。
【００３９】
さらに、イレーサを、図９に示すようにバックアップ部材２０１と、把手としての機能する上蓋２０３とから構成し（つまり中蓋のないものにし）、この上蓋２０３に張地２０４を保持するためのホールド部材としての機能を担わせるように構成することもできる。この場合にも、上蓋２０３とバックアップ部材２０１との間の空間に、当該イレーサの備品又は当該イレーサと共に使用される筆記用具若しくはその備品を収納する収納部２０５を、例えば上蓋２０３側に作り込む等して設けることが可能である。
【００４０】
その他の各部の構成も、本発明の趣旨を逸脱しない範囲で種々変形が可能である。
【００４１】
【発明の効果】
本発明は、以上説明した構成であるから、張地の拭き取り部分の拭き取り機能が低下しても、余長部分を繰り出すことによって引き続きその張地を使用することが可能になり、継続使用できる期間を従来に比べて有効に引き延ばすことができ、水洗いの頻度も確実に低減して、この種のイレーサとしての使い勝手を従来に比べて格段に向上させることが可能となる。
【図面の簡単な説明】
【図１】本発明の一実施形態を示す斜視図。
【図２】同実施形態の分解斜視図。
【図３】同実施形態の分解平面図。
【図４】同実施形態の分解縦断面図。
【図５】同実施形態の分解横断面図。
【図６】同実施形態の部分拡大断面図。
【図７】本発明の他の実施形態を示す図。
【図８】本発明の更に他の実施形態を示す図。
【図９】本発明の上記以外の実施形態を示す図。
【符号の説明】
１…バックアップ部材（下ケース）
１ａ…バックアップ面
２…ホールド部材（中蓋、中ケース）
３…上蓋（上ケース）
４…張地
４ｘ…拭き取り部分
４ｙ…余長部分
５，６、７…収納部
【図１】
2004268306.tif 000003
【図２】
2004268306.tif 000004
【図３】
2004268306.tif 000005
【図４】
2004268306.tif 000006
【図５】
2004268306.tif 000007
【図６】
2004268306.tif 000008
【図７】
2004268306.tif 000009
【図８】
2004268306.tif 000010
【図９】
2004268306.tif 000011